(57)【要約】      （修正有）【課題】液体包装袋から迅速に取り外し、空間的位置に制限されず、テーブル上に置くこともできるし、フックに引っ掛けることもできる変形可能なジョウロベースを提供する。【解決手段】ジョウロベースは、第一支持台１及び第二支持台２を備え、第一支持台の上端には液体包装袋の袋口又はノズルに固定接続されるための接続口が設けられ、第一支持台の下端に第一水平部が設けられ、第一支持台が第二支持台にヒンジ３で回転可能に連結され、第二支持台にフック部が設けられ、第二支持台を上向きに反転するとき、フック部をフックとして使用し、第二支持台を下向きに反転するとき、フック部が第一支持台の第一水平部に密着され、テーブル上に置くことができる。【選択図】図２
0003220724.tif 000002
【実用新案登録請求の範囲】
【請求項１】
変形可能なジョウロベースであって、
第一支持台（１）及び第二支持台（２）を備え、前記第一支持台（１）の上端には液体包装袋の袋口に固定接続されるための接続口（４）が設けられ、前記第一支持台（１）の下端に第一水平部が設けられ、前記第一支持台（１）が第二支持台（２）にヒンジ連結され、前記第二支持台（２）にフック部が設けられ、前記第二支持台（２）を上向きに反転するとき、フック部をフックとして使用し、前記第二支持台（２）を下向きに反転するとき、フック部が第一支持台（１）の第一水平部に密着されることを特徴とする変形可能なジョウロベース。
【請求項２】
前記接続口（４）内には液体包装袋の袋口にねじ接続されるための雌ねじが設けられていることを特徴とする請求項１に記載の変形可能なジョウロベース。
【請求項３】
前記接続口（４）にノズルが接続されることを特徴とする請求項１に記載の変形可能なジョウロベース。
【請求項４】
前記フック部は第二水平部及び垂直部を含み、前記第二支持台（２）を下向きに反転するとき、第二水平部が第一支持台（１）の第一水平部に密着されることを特徴とする請求項１に記載の変形可能なジョウロベース。
【請求項５】
前記第一支持台（１）に第一折り端（５）が設けられており、前記第二支持台（２）に第二折り端（２１）が設けられていることを特徴とする請求項１に記載の変形可能なジョウロベース。
【請求項６】
前記第二支持台（２）の内側に瓢箪型孔（２３）が設けられ、前記瓢箪型孔（２３）は大小２つの孔で構成され、前記第一支持台（１）に円柱状突起（３５）が設けられ、前記円柱状突起（３５）が瓢箪型孔（２３）に挿入され、前記円柱状突起（３５）に上下２つの切断面（３５１）が設けられていることを特徴とする請求項１に記載の変形可能なジョウロベース。
【請求項７】
前記第二支持台（２）の内側に第一位置決め孔（２４）が設けられ、前記第一支持台（１）に第二位置決め孔（３４）が設けられ、前記第一位置決め孔（２４）は第二位置決め孔（３４）と位置を合わせて位置決めすることに用いられることを特徴とする請求項１に記載の変形可能なジョウロベース。
【請求項８】
前記第二支持台（２）の外側につまみが設けられ、前記つまみに吊り手（３２）が開設され、前記つまみは更に第一フック部（３１）及び第二フック部（３３）を備えることを特徴とする請求項１に記載の変形可能なジョウロベース。
【請求項９】
前記第二支持台（２）の下方に更に円弧状位置決めノッチ（２２）が設けられ、前記第二支持台（２）の上方にプラスチック水平補強部（２５）が設けられ、外側に突起補強部（２６）が設けられていることを特徴とする請求項１に記載の変形可能なジョウロベース。
【請求項１０】
前記第一支持台（１）の第一水平部にストリップ状位置決め孔（３５２）が設けられていることを特徴とする請求項１に記載の変形可能なジョウロベース。
【考案の詳細な説明】
【技術分野】
【０００１】
本考案は、ジョウロ分野に属し、具体的には、変形可能なジョウロベースに関する。
【背景技術】
【０００２】
従来のジョウロはノズル及びジョウロ本体を備えるものである。ジョウロ本体は、様々な特定の形状に作られ、底面がいずれも水平であり、水平なテーブル面上に置くことに用いられ、傾斜して倒れにくい。
【０００３】
ジョウロ本体内には、様々な液体が注ぎ入れられる。注ぎ入れられる液体にはハンドソープ、消毒剤、又は殺虫剤がある。清水だけが注ぎ入れられることもある。
【０００４】
従来のジョウロ本体は体積が大きかった。従来のジョウロ本体は、内部の液体の種類を取り替える必要があるとき、まずノズルを取り外し、内部に残った液体を排出して洗浄した後、新しい液体を注入する、という手順を踏む必要があった。これは、液体をむやみに混合することで液体の品質保証期間に悪影響を与えることを防止するためである。
【０００５】
このようなジョウロの操作は煩わしく、且つ、前の液体が少し残ってしまうことが避けられなかった。また、従来のジョウロ本体は、置き場所が限定され、テーブル上だけにしか置くことができず、ほかの空間に置くことができず、置き場所に関わる空間的な制約があまりにも多かった。
【考案の概要】
【考案が解決しようとする課題】
【０００６】
従来技術の欠点に対して、本考案は変形可能なジョウロベースを提供し、それにより、構造的制限が多く、構造が単純で、液体を取り替えにくく、且つ置き場所が多く制限されている、という従来のジョウロの問題を解決する。
【課題を解決するための手段】
【０００７】
変形可能なジョウロベースであって、第一支持台及び第二支持台を備え、前記第一支持台の上端には液体包装袋の袋口に固定接続されるための接続口が設けられ、前記第一支持台の下端に第一水平部が設けられ、前記第一支持台が第二支持台にヒンジ連結され、前記第二支持台にフック部が設けられ、前記第二支持台を上向きに反転するとき、フック部をフックとして使用し、前記第二支持台を下向きに反転するとき、フック部が第一支持台の第一水平部に密着される。第二支持台の位置の切り替えによって、ジョウロベースの変形を実現する。
【０００８】
好ましくは、前記接続口内には液体包装袋の袋口にねじ接続されるための雌ねじが設けられる。ここで、液体包装袋の袋口の多くは、雄ねじ構造になっている。よって、接続口内の雌ねじにより、液体包装袋との接続が簡単になる。
【０００９】
好ましくは、前記接続口にノズルが接続される。接続口にノズルが接続されてもよいし、ほかの噴出口が接続されてもよい。
【００１０】
好ましくは、前記フック部は第二水平部及び垂直部を含み、前記第二支持台を下向きに反転するとき、第二水平部が第一支持台の第一水平部に密着される。第二水平部が第一支持台の第一水平部に密着すると、第一水平部の支持力が強まる。
【００１１】
好ましくは、前記第一支持台に第一折り端が設けられ、前記第二支持台に第二折り端が設けられる。このような折り端を有する設計によって、同じ肉厚の状況の下において、製品の構造強度が大幅に向上する。第一折り端は、構造強度を向上させると同時に、第二支持台を位置決めして左右に揺動させないことができる。
【００１２】
好ましくは、前記第二支持台の内側に瓢箪型孔が設けられ、前記瓢箪型孔は大小２つの孔で構成され、前記第一支持台に円柱状突起が設けられ、前記円柱状突起が瓢箪型孔に挿入され、前記円柱状突起に上下２つの切断面が設けられる。大孔と小孔は２つの部材の組み立てに役立つ。望ましくは、第二支持台の大小２つの孔のうち大孔は、第二支持台におけるフック部の側にある。円柱状突起は、第二支持台の回転軸となる。切断面は、離型に役立つと同時に、第二支持台２が上方向または下方向に反転する時に適度な抵抗感を与える。
【００１３】
好ましくは、前記第二支持台の内側に第一位置決め孔が設けられ、前記第一支持台に第二位置決め孔が設けられ、前記第一位置決め孔は第二位置決め孔と位置を合わせて位置決めすることに用いられる。第一位置決め孔及び第二位置決め孔の２つの小丸点は位置決め作用を果たす。
【００１４】
好ましくは、前記第二支持台の外側につまみが設けられ、前記つまみに吊り手が開設され、前記つまみは更に第一フック部及び第二フック部を備える。第一フック部に、シャワーを浴びるときに使用されるスポンジのような小さなものを引っ掛けてもよいし、吊り手の丸孔をフックで引っ掛けてもよい。それと協働して、第二フック部をいくつかの管状ロッドに引っ掛けてもよい。
【００１５】
好ましくは、前記第二支持台の下方に更に円弧状位置決めノッチが設けられ、前記第二支持台の上方にプラスチック水平補強部が設けられ、外側に突起補強部が設けられる。３つの円弧状位置決め部によって、ジョウロを管状ロッドに容易に固定することができる。プラスチック水平補強部及び突起補強部はいずれも、第二支持台の構造強度を向上させるためのものである。
【００１６】
好ましくは、前記第一支持台の第一水平部にストリップ状位置決め孔が設けられる。ストリップ状位置決め孔は、第二支持台と位置を合わせて位置決めすることに用いられる。
【考案の効果】
【００１７】
従来技術に比べて、液体包装袋を迅速に取り外すことができる。また、置き場所の空間的な制約が小さくなる。テーブル上に置いてもよいし、フックに引っ掛けてもよい。
【図面の簡単な説明】
【００１８】
【図１】図１は本考案の正面図である。
【図２】図２は本考案の実施例２の正面図である。
【図３】図３は本考案の実施例１の構造模式図である。
【図４】図４は本考案の側面図である。
【図５】図５は本考案の第一支持台の第一模式図である。
【図６】図６は本考案の第一支持台の第二模式図である。
【図７】図７は本考案の第二支持台の第一模式図である。
【図８】図８は本考案の第二支持台の第二模式図である。
【考案を実施するための形態】
【００１９】
以下、図面を参照しながら、本考案の実施例を詳しく説明する。
【００２０】
本考案の実施例である変形可能なジョウロベースは、詰め替え用の液体包装袋を保持する液体包装袋ホルダとしての役割を果たすものである。ジョウロベースは、第一支持台１及び第二支持台２を備える。前記第一支持台１の上端には液体包装袋の袋口に固定接続されるための接続口４が設けられる。前記第一支持台１の下端には、第一水平部が設けられる。前記第一支持台１は、第二支持台２にヒンジ連結される。前記第二支持台２には、フック部が設けられる。前記第二支持台２を上向きに反転するとき、フック部をフックとして使用する。前記第二支持台２を下向きに反転するとき、フック部が第一支持台１の第一水平部に密着される。前記接続口４内には液体包装袋の袋口にねじ接続されるための雌ねじが設けられる。前記接続口４には、ノズルが接続される。前記フック部は、第二水平部及び垂直部を含む。すなわち、第二支持台２の水平部の先端（第一支持台１とヒンジ連結される側と反対側の端部）が垂直に屈曲し、屈曲した先が垂直部となっている。前記第二支持台２を下向きに反転するとき、第二水平部は第一支持台１の第一水平部に密着される。前記第一支持台１には、第一折り端５が設けられる。第一折り端５は、第一支持台１の本体における幅方向の両端辺のうちの一方の端辺を内側に折り曲げたような形状をなしている。前記第二支持台２には、第二折り端２１が設けられる。第二折り端２１は、第二支持台２の本体における幅方向の両端辺のうちの他方の端辺（図１に示す状態において、第一支持台１の第一折り端５のある側の端辺と反対側の端辺）を内側に折り曲げたような形状をなしている。前記第二支持台２の内側には、瓢箪型孔２３が設けられる。前記瓢箪型孔２３は大孔及び小孔の大小２つの孔で構成される。前記第一支持台１には、円柱状突起３５が設けられる。前記円柱状突起３５は、瓢箪型孔２３に挿入される。前記円柱状突起３５には、上下２つの切断面３５１が設けられる。すなわち、図６に示すように、第一支持台１の本体と円柱状突起３５との間に介在する、細くなっている支柱には、上下２つの切断面３５１がある。この上下２つの切断面３５１は、第一支持台１の水平部と平行である。前記第二支持台２の内側には、第一位置決め孔２４が設けられる。前記第一支持台１には、第二位置決め孔３４が設けられる。前記第一位置決め孔２４は、第二位置決め孔３４と位置を合わせて位置決めすることに用いられる。前記第二支持台２の外側には、つまみが設けられる。つまみには、吊り手３２が開設される。前記つまみは、更に第一フック部３１及び第二フック部３３を備える。前記第二支持台２の下方には、更に円弧状位置決めノッチ２２が設けられる。すなわち、第二支持台２の第二折り端２１における水平部の一端辺から起立している部分が波打つようにして湾曲し、この湾曲した部分が円弧状位置決めノッチ２２を形成している。前記第二支持台２の上方には、プラスチック水平補強部２５が設けられる。第二支持台２の外側には、突起補強部２６が設けられる。前記第一支持台１の第一水平部には、ストリップ状位置決め孔３５２が設けられる。
【００２１】
使用時（ジョウロベース内に液体包装袋を装填する時）には、まず液体包装袋を入れ、液体包装袋の上方の接続ピンを接続口４に捻じ込み、液体包装袋の接続ピンとジョウロベースの接続口４の雌ねじをねじ接続する必要がある。
【００２２】
実施例１
【００２３】
ジョウロベースを、テーブルなどの平面上に置く必要があるとき、第二支持台２を下向きに反転し、第二水平部を第一支持台１の第一水平部に密着させて、図１に示すような状態にし、ジョウロベースを水平面上に置ければよい。
【００２４】
実施例２
【００２５】
ジョーロベースを、フックに引っ掛ける必要があるとき、第二支持台２を上向きに反転して、図２に示すような状態にし、フック部をフックとして使用し、フックで宙吊り部材を引っ掛けるとよい。
【００２６】
以上の説明は単に本考案の好適な実施形態であり、ただし、当業者であれば、本考案の技術原理を逸脱せずに、いくつかの改良及び修飾を行うことができ、これらの改良及び修飾も本考案の保護範囲に属すると見なされるべきである。
【図１】
0003220724.tif 000003
【図２】
0003220724.tif 000004
【図３】
0003220724.tif 000005
【図４】
0003220724.tif 000006
【図５】
0003220724.tif 000007
【図６】
0003220724.tif 000008
【図７】
0003220724.tif 000009
【図８】
0003220724.tif 000010